(57)【要約】【課題】本発明は、偽造防止機能およびカラーコピー防止機能を備えた、セキュリティが高く、装飾性に優れた、コピーやスキャナーによるスキャニングによって作製した複写偽造物に対しても真偽の鑑定を容易に行えるホログラム付き画像形成体をを用いて、通常モノクロコピー機、カラーコピー機による複写再現性を抑制でき、有価印刷物、証券印刷物をはじめとする各種商業印刷物など印刷物の印刷偽造防止技術を提供する。【解決手段】ホログラム形成層と、万線で隠しパターンが構成された万線パターン形成層とを具備することを特徴とするホログラム付き画像形成体である。【選択図】図１
2005349624.tif 000002
【特許請求の範囲】
【請求項１】
ホログラム形成層と、万線で隠しパターンが構成された万線パターン形成層とを具備することを特徴とするホログラム付き画像形成体。
【請求項２】
前記万線パターン形成層は、線部と非線部の万線比率が１：１の同一万線ピッチによる万線を異なる万線角度にて配置した２ないし数種類の万線パターンが形成され、その万線パターンのうち１ないし数種類の万線パターン領域内にその万線パターンに対して万線位相を半ピッチ分だけずらて形成した潜像万線パターンを備えていることを特徴とする請求項１記載のホログラム付き画像形成体。
【請求項３】
前記２ないし数種類の万線パターン上にその万線パターンと同じ万線比率と同じ万線ピッチの顕像化用万線パターンが透明フィルムに形成された顕像化万線シートを互いにその万線角度が整合するように重ね合わせた際に、各々万線角度に対応する万線パターン領域内に形成された潜像万線パターンが顕像化されることを特徴とする請求項１または２記載のホログラム付き画像形成体。
【請求項４】
前記ホログラム形成層は、レリーフホログラム、体積型ホログラム、または、回折格子であることを特徴とする請求項１〜３のいずれか１項に記載のホログラム付き画像形成体。
【発明の詳細な説明】
【技術分野】
【０００１】
本発明は、偽造防止機能およびカラーコピー防止機能を備えたホログラム付き画像形成体に関し、偽造物の真偽鑑定を容易に行える技術に関する。
【背景技術】
【０００２】
従来、金券等を複写機で複写した偽造物を抑制するために、印刷物中に複写機の解像力を超えた大きさの網点で構成された領域を設けることにより、複写機を利用して偽造物を見分けるコピー牽制方式が用いられてきた。しかし、カラー複写機の技術進歩により、カラー複写機の解像度が増し、複写機の解像力を超えた大きな網点を用いる方式では、そのコピー牽制効果を十分上げることが困難となっている。
【０００３】
そのため、万線状パターンで隠しパターンを印刷した印刷物を作成し、その印刷物が複写物の場合、透明な判別具を被せても、隠しパターンが現れないことで複写物を見分ける複写物判別法が提案されている。しかしながら、隠しパターン入り印刷物は、比較的単純なパターンであるため、コピー、スキャナーによる複写物の場合、万線パターンは複写による再現が可能となり、複写物でも同様の機能を保持することができ、さらに、パターンが単純であるため、知見のあるものは比較的容易に作製が可能であり、偽造防止対策としての効果が低いものであった。隠しパターンが入っていることは分からないが、入っていることが分かれば、通常の印刷技術を有す偽造者であれば、比較的安易に偽造することができる。また、印刷物の解像度を高める作業も、安定した生産性の確保の面で困難である。
【０００４】
また、近年、意匠性に優れ、本体の複製が難しく、セキュリティの高いホログラムが、偽造防止およびカラーコピー対策として用いられている。さらに、ホログラムについては、ホログラム自体の絵柄は、絵柄のみの確認で、セキュリティアップ、機能性の向上、付加価値が求められている。しかしながら、一見、本物との区別がつかいないまでの精巧なホログラム作製技術を駆使したホログラムは偽造品が多く見られるようになった。ホログラムの真偽鑑定は偽造品と本物とを比較観察すれば容易に判断ができるものの、偽造品のみを見ても「偽物」という判別は容易にできず別の真偽鑑定の手段を施す必要がでてくる。ホログラムが蛍光発光したり、偏光フィルムにより像が浮かび上がるなどの技術を用いることもできるが、ホログラム版の作製に莫大な費用を要し、デザイン自体の制約を受ける。また、検証具の負担も大きくなると言うコスト的な面での問題がある。
【発明の開示】
【発明が解決しようとする課題】
【０００５】
本発明は、このような問題に鑑みてなされたもので、偽造防止機能およびカラーコピー防止機能を備えた、セキュリティが高く、装飾性に優れた、コピーやスキャナーによるスキャニングによって作製した複写偽造物に対しても真偽の鑑定を容易に行えるホログラム付き画像形成体を提供することを目的とする。
【課題を解決するための手段】
【０００６】
上記の目的を達成するために、すなわち、
請求項１に係る発明は、
ホログラム形成層と、万線で隠しパターンが構成された万線パターン形成層とを具備することを特徴とするホログラム付き画像形成体である。
【０００７】
請求項２に係る発明は、
前記万線パターン形成層は、線部と非線部の万線比率が１：１の同一万線ピッチによる万線を異なる万線角度にて配置した２ないし数種類の万線パターンが形成され、その万線パターンのうち１ないし数種類の万線パターン領域内にその万線パターンに対して万線位相を半ピッチ分だけずらて形成した潜像万線パターンを備えていることを特徴とする請求項１記載のホログラム付き画像形成体である。
【０００８】
請求項３に係る発明は、
前記２ないし数種類の万線パターン上にその万線パターンと同じ万線比率と同じ万線ピッチの顕像化用万線パターンが透明フィルムに形成された顕像化万線シートを互いにその万線角度が整合するように重ね合わせた際に、各々万線角度に対応する万線パターン領域内に形成された潜像万線パターンが顕像化されることを特徴とする請求項１または２記載のホログラム付き画像形成体である。
【０００９】
請求項４に係る発明は、
前記ホログラム形成層は、レリーフホログラム、体積型ホログラム又は、回折格子であることを特徴とする請求項１〜３のいずれか１項に記載のホログラム付き画像形成体である。
【発明の効果】
【００１０】
本発明によれば、偽造防止およびカラーコピー対策が行なえ、セキュリティが高く、装飾性に優れた、コピーやスキャナーによるスキャニングによって作製した複写偽造物に対しても真偽の鑑定を容易に行えるホログラム付き画像形成体を提供することができる。本発明のホログラム付き画像形成体は、万線パターンが潜像万線パターンを含めて極めて複雑であるため、通常モノクロコピー機、カラーコピー機による複写再現性を抑制でき、有価印刷物、証券印刷物をはじめとする各種商業印刷物など印刷物の印刷偽造防止効果を向上できる効果がある。
【発明を実施するための最良の形態】
【００１１】
以下、本発明の最良の実施形態について説明する。図１および２は、本発明のホログラム付き画像形成体に顕像化万線シートを重ね合わせ、潜像万線パターンを顕像化させて認識する方法の概念を示す説明図である。図１に示すように、確認具として、顕像化万線シート１を用いる。画像形成体２は、ホログラム形成層３と万線パターン形成層４を有する。また、図２に示すように、本発明の画像形成体２は、紙やプラスチックフィルムなどからなる基材５上にホログラム形成層３と万線パターン形成層４を有し［図２（ａ）参照］、画像形成体２を真正面から見ると、ホログラム画像３ａが表示され、万線パターン４ａがあることは分からない［図２（ｂ）参照］。カラーコピーなどで複写したものはホログラム画像３ａをとらえるが、下地の万線パターン４ａは隠蔽され、複写ができない。一方、オリジナルの画像形成体２は、角度を変えて斜め方向から見るとホログラム画像３ａが消失し万線パターン４ａが見えるので［図２（ｃ）参照］、この状態で顕像化万線シート１を重ねて合わせて見ると、万線パターン４ａの潜像万線パターン４ｂが顕像化されて顕像画像が確認できる［図２（ｄ）参照］。
【００１２】
図３は、顕像化万線シート１と画像形成体２の構成の一例を示す図である。画像形成体２は、紙やプラスチックフィルムなどからなる基材層５上に万線パターン形成層４を形成し、その万線パターン形成層４上にホログラム形成層３を粘着層７を介して積層させ、さらに、ホログラム形成層３の上を保護層６で覆って構成されている例を示したものである。
【００１３】
本発明の画像形成体２は、万線パターンが潜像万線パターンを含めて極めて複雑であるため、通常モノクロコピー機、カラーコピー機による複写再現性を抑制でき、ＩＤカード
、クレジットカード等のカード、証明書、定期券、商品券、ＩＤ証等の有価印刷物、証券印刷物をはじめとする各種商業印刷物など印刷物等に用いられる。
【００１４】
以下、本発明における万線パターン形成層４について、一例として、潜像万線パターンを形成した万線パターン上に顕像化万線シートを重ね合わせ、その重ね合わせ面にて面回転させると、次々と潜像パターンによる異なる画像が顕像化する多次変化機能を備えているため、印刷物の真偽判定を容易にできる例を挙げて詳細に説明する。図４（ａ）に示すように、本発明における万線パターン形成層４は、基材５上に線部と非線部の万線比率が１：１で、同一の万線ピッチの万線パターン４ａが形成され、その万線パターン４ａは、それぞれ異なる万線角度にて形成された２ないし数種類の万線パターン領域により構成されている。
【００１５】
上記万線パータン４ａの異なる万線角度にて形成された各パターン領域には、万線位相を半ピッチ分だけずらして形成された潜像万線パターンによる潜像パターン４ｂを備えている。
【００１６】
本発明における上記万線パターン形成層４の万線パターン４ａ上には、図４（ｂ）に示すように、万線パータン４ａと同じ万線比率（線部と非線部の万線比率が１：１）と同じ万線ピッチの万線パターン９が透明基材１０上に形成されている万線シート８が、その万線方向を整合させて重ね合わせられる。
【００１７】
図４（ｃ）〜（ｅ）は、万線パターン形成層４の万線パターン４ａ上に万線シート８を重ね合わせて、上記１ないし至数種類の潜像万線パターン上にその各々万線角度に整合する（平行となる）角度にて重ねあわせた際に、その角度に対応する潜像万線パターンによる潜像パターン４ｂが顕像化された状態を示す。
【００１８】
図４（ｃ）では、顕像化万線シート８を万線パターン４ａ上に重ね合わせ、その万線パターン９の万線を水平方向（角度０°）にして、例えば「Ｔ」という文字の潜像万線パターンの水平な万線の方向（角度０°）と整合させて重ね合わすことにより、「Ｔ」という文字４ｂ（ｃ）が顕像化万線シート８を透して顕像化する。
【００１９】
図４（ｄ）では、顕像化万線シート８を万線パターン４ａ上に重ね合わせ、その万線パターン９の万線を４５°の方向に傾斜させて、例えば「Ｐ」という文字の潜像万線パターンの４５°に傾斜する万線の方向と整合させて重ね合わすことにより、「Ｐ」という文字４ｂ（ｄ）が顕像化万線シート８を透して顕像化する。
【００２０】
また、図４（ｅ）では、顕像化万線シート８を万線パターン４ａ上に重ね合わせ、その万線パターン９の万線を垂直（９０°）にして、例えば「Ｏ」という文字の潜像万線パターンの垂直な万線の方向（９０°）と整合させて重ね合わすことにより、「Ｏ」という文字４ｂ（ｅ）が顕像化万線シート８を透して顕像化する。
【００２１】
上記万線パターン形成層４に形成された万線パターン４ａの一例として、基材５上には、万線パターン層４が形成されている。この万線パターン４ａは、万線角度の異なる３種類の万線を、それぞれ線条の第１万線パターン領域、第２万線パターン領域、第３万線パターン領域の各領域に配置して構成され、そして、第１、第２、第３万線パターン領域を１単位の万線パターン領域として、この複数単位を、繰り返し配置して構成される。そして、この３万線パターン４ａの形成領域内には、潜像パターン４ｂを構成する潜像万線パターンが形成されている。特開２００１−２１３０４２号公報においてその万線パターンの構造が詳細に開示されており、それらの万線パターン構造からなる万線パターンを適用することできる。
【００２２】
図５は、本発明の万線パターン形成層４の万線パターン４ａ上に重ね合わせて、潜像万線パターン４ｂを顕像化するための万線パターンを備えた顕像化万線シート８である。図示するように、顕像化万線シート８は、透明なプラスチックフィルムやガラス板などの透明基材１０に万線パターン９を形成したものであり、万線パターン９を構成するそれぞれ万線１１は、線部１１ａ（黒線部、着色部、不透明部、可視光不透過部）と非線部１１ｂ（透明部、可視光透過部）の幅の比率、所謂、万線比率を、好ましくは略１：１に設定してあり、同一万線ピッチＥ（線部１１ａの幅Ｅ１、非線部１１ｂの幅Ｅ２）にて平行に配列されており、顕像化万線シート８の万線ピッチＥと万線パターン形成層４の万線パターン４ａの万線ピッチＤとは、Ｅ＝Ｄの関係に設定されている。
【００２３】
本発明における万線パターン形成層４は、２ないし数種類の万線パターン領域に異なる万線角度の万線を有する上記のような万線パターン４ａ上に、その万線パータン４ａと同じ万線比率と同じ万線ピッチの顕像化用万線パターン９が透明フィルム１０に形成された顕像化万線シート８を、互いにその万線角度が整合する（平行となる）ように重ね合わせる。
【００２４】
これによって、各々万線角度に対応する各万線パターン領域内に形成された潜像万線パターン（例えば、Ｔ、Ｏ、Ｐの文字の潜像パターン）が、それぞれ顕像化万線シート８を角度調整することにより顕像画像（例えば、Ｔ、Ｏ、Ｐの文字）として顕像化されるものである。例えば、上記顕像化万線シート８の万線パターン９の万線と重なり合わない万線パターン形成層４の万線パターン４ａの万線が、潜像万線パターン領域内の万線パターン４ａを構成する万線であれば、その万線が万線パターン９の各万線（不透明線；黒線；線部）の間の透明部分（透明線；非線部）を透して目視にて観察されて潜像万線パターン４４ｂが顕像化してポジティブ画像の顕像画像として観察される。
【００２５】
他方、例えば、上記顕像化万線シート８の万線パターン９の万線と重なり合わない万線パターン形成層４の万線パターン４ａの万線が、潜像万線パターン領域外の万線パターン４ａを構成する万線であれば、その万線が万線パターン８の各万線（不透明線；黒線；線部）の間の透明部分（透明線；非線部）を透して目視にて観察されて潜像万線パターンは顕像化してネガティブ画像の顕像画像として観察される。
【００２６】
本発明における万線パターン形成層４においては、前記万線パターン領域が、シート上の略全領域に亘って形成されていてもよいし、１ないし数個所に区分されて形成されていてもよい。
【００２７】
また、本発明における万線パターン形成層４においては、前記１ないし数種類の潜像万線パターン４ａが、前記２ないし数種類の万線パターン領域により構成される万線パターン４ａ内における同一個所に形成されていてもよいし、それぞれ異なる個所に形成されていてもよい。
【００２８】
また、本発明の万線パターン形成層４の万線パターン４ａの形成領域、即ち、潜像が顕像として浮き出る領域を、万線パターン領域に分割する方法としては、上記のような線条の他に、点状、格子状など様々なデザイン形状でも可能である。また網点、格子の場合も一定面積にて分割（例えば均等分割）すれば、線条の場合と同様の結果が得られる。
【００２９】
上記万線パターン形成層４の万線パターン４ａの万線と、顕像化万線シート８の万線パターン８の万線のそれぞれ万線ピッチＤは、２０〜２０００μｍ、好ましくは２０〜１０００μｍの範囲のうちのいずれかに設定することが好ましく、万線ピッチＤが２０μｍ未満であると、ピッチＤに対して１／２の線部と非線部のそれぞれ線幅Ｄ１、Ｄ２が、１０
μｍ未満の極めて細い線幅となるため、潜像万線パターン４ｂのデザインも細かすぎて、顕像化万線シート８を重ね合わせて観察しても、再現性が悪く顕像化が弱くなる。
【００３０】
他方、万線パターン形成層４の万線パターン４ａの万線と、顕像化万線シート８の万線パターン８の万線のそれぞれ万線のピッチＤが２０００μｍより大きいと、線部と非線部の線幅が、それぞれ１０００μｍより大きい極めて太い線幅となるため、潜像万線パターン４ｂのデザインも粗くなって、顕像化万線シート８を重ね合わせて顕像化した際に見ずらく、したがって視認が不可能となる場合があり、また、顕像化万線シート８を介在させなくても潜像パターンが４ｂ判別できてしまったり、カラーコピー機などで複写再現され易くなる場合がある。
【００３１】
したがって、上記それぞれ万線の線部（及び非線部）の線幅（１／２）Ｄは、１０〜１０００μｍの範囲のいずいれか、好ましくは１０〜５００μｍの範囲のいずいれかに設定することが望ましい。
【００３２】
本発明における万線パターン形成層において、万線パターン４及び潜像パターンの万線１１及び顕像化用の万線シート８の万線１１の万線ピッチＤを２０〜１０００μｍの範囲内、万線１１の線部９ａ（及び非線部９ｂ）の線幅（１／２）を１０〜５００μｍの範囲内において設定することにより、顕像化万線シート８を重ね合わせ整合した際には、明確な顕像画像が表出する良好な潜像パターンを備えた万線パターン形成層が得られ、また、この万線パターン形成層をカラーコピー機を用いて複写再現した複写印刷物に顕像化万線シート８を重ね合わせ整合した際には、明確な顕像画像が表出せず、複写防止、偽造防止作用が確認できた。
【００３３】
また、万線パターン形成層４の万線パターン４ａの万線と、顕像化万線シート８の万線パターン８の万線のそれぞれ万線の線部（全ての線部、潜像万線パターンの線部、あるいは潜像万線パターン以外の線部）に施す色調、色数（単色、多色）などは特に限定されないが、単色は万線の顕像再現性が悪いため、ＰＣＳ値（Ｐｏｉｎｔ  Ｃｏｎｔｒａｓｔ
Ｓｉｇｎａｌ値；相対反射率；コントラストを示す値）が、０．５以上（Ａフィルター）あることが望ましい。また、印刷はオフセット印刷、グラビア印刷、ＤＤＰＣで再現可能である。ＰＣＳ値＝（万線の非線部反射率−万線の線部反射率）／万線の非線部反射率
また、本発明における万線パターン形成層の基材５上における万線パターン４ａの形成領域、あるいは潜像万線パターンの形成領域には、全く独立したデザインなどによる通常印刷画像、彩色を下地画像、下地彩色として形成してもよい。但し、潜像万線パターンによる潜像パターンの再現性、顕像化を考慮して、潜像パターンに採用した色調に近似した色は迷彩化のおそれがあるので避けた方がよい。また、基材５上における上記万線パターンの形成領域以外の領域にも、全く独立したデザインなどによる通常印刷画像、彩色を形成してもよい。
【００３４】
本発明における万線パターン形成層４は、顕像化万線シート８を万線パターン４ａ上で回転させて、１ないし数種類の潜像万線パターンによる潜像文字を順次再現させ顕像化させるため、２ないし数種類の万線パターン領域の各万線にそれぞれ異なる万線角度を付けるものであるが、その場合、それぞれ視認できる万線角度が近似していると、互いの機能性が障害となったり、または、回転させて見えるという機能性を重視するために、視認角度は１８０°を均等分割することが望ましいが、本発明においては、この限りではない。
【００３５】
万線パターン形成層４の万線パターン４ａの各万線１１の万線角度の設定は、特に限定されるものではないが、万線角度にて文字「Ｔ」、「Ｏ」、「Ｐ」を潜像万線パターンとして形成する場合の他に、例えば、文字「Ｔ」を表現する万線角度として左に５°傾斜する角度、文字「Ｏ」を表現する万線角度として左に６０°傾斜する角度、文字「Ｐ」を表
現する万線角度として右に１２０°傾斜する角度に設定してもよい。
【００３６】
図６は、本発明の画像形成体２をＩＤカード１２に設けた例を示す図である。ＩＤカード１２には、画像形成体２、顔写真１３等が設けられる。この状態で、ＩＤカード１２を肉眼で見ると、画像形成体２のホログラム画像を確認することができる。
【００３７】
図７は、図６のＩＤカード１２に顕像化万線シート１を載せた図である。図６で画像形成体２のホログラム画像が確認でき、図７の状態で隠しパターン文字ＴＰを確認できたＩＤカード１２は、オリジナルなＩＤカード１２であることが証明される。しかし、図６でホログラム画像を確認できても、図７の状態で隠しパターン文字ＴＰを確認できないＩＤカード１２があれば、複写物であることが分かる。
【００３８】
このように、確認具として顕像化万線シート１を用いることにより、オリジナルのホログラムとその絵柄を複写して作成された物とを簡単な方法でチェックすることができる。
【００３９】
また、ホログラム形成層３としては、レリーフ型ホログラム、あるいは、フィルムの厚み方向に干渉縞が記録されている体積位相型ホログラムを用いる。また、レーザー光にて撮影したホログラムだけでなく、電子線描画等による回折格子でもよい。
【００４０】
ホログラムに体積位相型ホログラムを用いる場合、ホログラム画像が見える範囲をある方向のみに限定すると、隠しパターンが見えやすくなるため、ホログラムの回折光の方向をある範囲に限定した方が望ましい。また、隠しパターン表示時に、隠しパターンを見えやすくするために、ホログラム形成層３は透明度の高いものが望ましい。
【００４１】
このように、本発明の画像形成体は、装飾性が高く、万線パターンが潜像万線パターンを含めて極めて複雑であるため、通常モノクロコピー機、カラーコピー機による複写再現性を抑制でき、有価印刷物、証券印刷物をはじめとする各種商業印刷物など印刷物の印刷偽造防止効果を向上できる効果がある。また、本発明のホログラム付き画像形成体は、おもちゃ、ノベルティ、プレミアム、包装材料、書籍等に用いることができる。
【図面の簡単な説明】
【００４２】
【図１】本発明のホログラム付き画像形成体に顕像化万線シートを重ね合わせ、潜像万線パターンを顕像化させて認識する方法を示す概念図である。
【図２】本発明のホログラム付き画像形成体に顕像化万線シートを重ね合わせ、潜像万線パターンを顕像化させて認識する方法を示す説明図である。
【図３】本発明の顕像化万線シートとホログラム付き画像形成体の構成の一例を示す断面図である。
【図４】（ａ）は、本発明のホログラム付き画像形成体の万線パターン形成層の平面図である。（ｂ）は、その万線パターン形成層上に重ね合わせて顕像化するための顕像化万線シートの平面図である。（ｃ）〜（ｅ）は、万線パターン形成層上に顕像化万線シートを重ね合わせて顕像化した複数の顕像画像の平面図である。
【図５】本発明における顕像化万線シートの拡大平面図である。
【図６】本発明の画像形成体をＩＣカードに設けた例を示す平面図である。
【図７】図５の画像形成体に顕像化万線シートを載せて隠しパターンを顕像化する説明図である。
【符号の説明】
【００４３】
１、８・・・顕像化万線シート
２・・・画像形成体
３・・・ホログラム形成層
４・・・万線パターン形成層
４ａ、９・・・万線パターン
４ｂ・・・潜像万線パターン
５・・・基材
６・・・保護層
７・・・粘着層
１１ａ・・・線部
１２ｂ・・・非線部
１０・・・透明フィルム
１１・・・万線
１２・・・ＩＣカード
１３・・・顔写真
Ｅ・・・万線ピッチ
Ｅ１・・・線部巾
Ｅ２・・・非線部巾
【図１】
2005349624.tif 000003
【図２】
2005349624.tif 000004
【図３】
2005349624.tif 000005
【図４】
2005349624.tif 000006
【図５】
2005349624.tif 000007
【図６】
2005349624.tif 000008
【図７】
2005349624.tif 000009